(57)【特許請求の範囲】
【請求項１】
ゴルフバッグを載置したまま移動させるゴルフバッグ搬送用台車において、
前記台車下面の少なくとも異なる３箇所に取り付けられた自在キャスタと、
前記台車上面にゴルフバッグの底部を保持して前記台車上面上をゴルフバッグがずれないようにするゴルフバッグ底部ずれ防止部を備え、
前記台車上面側から見て前記ゴルフバッグ底部ずれ防止部には当該ゴルフバッグ底部を支持する支持面と当該支持面以外の部分に形成された開口部が設けられ、
前記開口部を介して前記ゴルフバッグ底部を磁力により前記ゴルフバッグ底部を支持する支持面に押し付ける押し付け力を作用させたり、当該押し付け力の作用を解除させたりする保持力付与解除手段が備わり、
前記保持力付与解除手段は、前記台車のゴルフバッグ底部を支持する支持面と平行な方向にスライドすると共に、端部が前記台車の側方から突出した突出部をなすスライド部材と、前記スライド部材の一部に設けられた磁石であって当該スライド部材の操作により前記開口部における第１の位置と第２の位置間を移動するようになった磁石を備え、
前記スライド部材の操作により、前記磁石が前記第１の位置にある場合は、当該磁石が前記ゴルフバッグ底部ずれ防止部に保持されるゴルフバッグの底部に備わった金属製着磁部に最も接近し、これによって前記開口部を介して前記ゴルフバッグ底部を前記磁石の磁力により前記ゴルフバッグ底部を支持する支持面に押し付ける押し付け力を作用させ、
前記磁石が前記第２の位置にある場合は、当該磁石が前記ゴルフバッグ底部ずれ防止部に保持されるゴルフバッグの底部に備わった金属製着磁部から最も離間し、これによって前記ゴルフバッグ底部を前記磁石の磁力により前記ゴルフバッグ底部を支持する支持面に押し付ける押し付け力の作用を解除させることを特徴とするゴルフバッグ搬送用台車。
【請求項２】
ゴルフバッグを載置したまま移動させるゴルフバッグ搬送用台車において、
前記台車下面の少なくとも異なる３箇所に取り付けられた自在キャスタと、
前記台車上面にゴルフバッグの底部を保持して前記台車上面上をゴルフバッグがずれないようにするゴルフバッグ底部ずれ防止部を備え、
前記台車上面側から見て前記ゴルフバッグ底部ずれ防止部には当該ゴルフバッグ底部を支持する支持面と当該支持面以外の部分に形成された開口部が設けられ、
前記開口部を介して前記ゴルフバッグ底部を磁力により前記ゴルフバッグ底部を支持する支持面に押し付ける押し付け力を作用させたり、当該押し付け力の作用を解除させたりする保持力付与解除手段が備わり、
前記保持力解除手段は、前記磁力を生じさせる磁石と、前記磁石を所定位置に有した細長の磁石移動部材を備え、前記磁石移動部材は前記台車の一部に回動支点として軸支され、前記磁石移動部材の少なくとも一方の端部は前記台車の側縁から側方に延在すると共に、前記回動支点を中心として前記少なくとも一方の端部を所定の範囲で移動させることが可能となっており、前記磁石は、前記磁石移動部材の前記回動支点と前記一方の端部の間及び前記回動支点と他方の端部の間の少なくとも一方に備わり、前記磁石移動部材の少なくとも一方の端部を所定の範囲で移動させることで、前記磁石を第１の位置と第２の位置間で移動させるようになっており、
前記磁石移動部材を介して前記磁石を第１の位置まで移動させると、当該磁石が前記ゴルフバッグ底部ずれ防止部に保持されるゴルフバッグの底部に備わった金属製着磁部に最も接近し、これによって前記開口部を介して前記ゴルフバッグ底部を前記磁石の磁力により前記ゴルフバッグ底部を支持する支持面に押し付ける押し付け力を作用させ、かつ
前記磁石移動部材を介して前記磁石を第２の位置まで移動させると、当該磁石が前記ゴルフバッグ底部ずれ防止部に保持されるゴルフバッグの底部に備わった金属製着磁部から最も離間し、これによって前記ゴルフバッグ底部を前記磁石の磁力により前記ゴルフバッグ底部を支持する支持面に押し付ける押し付け力の作用を解除させることを特徴とするゴルフバッグ搬送用台車。
【請求項３】
前記ゴルフバッグ搬送用台車を水平面に置いた状態において、ゴルフバッグ底部を支持する支持面にゴルフバッグ底部を支持させた状態で当該ゴルフバッグが鉛直方向に対して所定の角度だけ斜めになったまま前記ゴルフバッグ搬送用台車に載置されるようにゴルフバッグ底部ずれ防止部が前記ゴルフバッグ搬送用台車に備わっていることを特徴とする、請求項１又は請求項２に記載のゴルフバッグ搬送用台車。
【発明の詳細な説明】
【技術分野】
【０００１】
本発明は、ゴルフバッグを搬送するのに用いるゴルフバッグ搬送用台車に関する。
【背景技術】
【０００２】
従来から、ゴルフの練習に行く際にゴルフ練習場の駐車場から打席まで、又は、ゴルフ場に行く際に家からメンバーとの待ち合わせ場所まで等、車での移動ができず、徒歩で移動しなければならない場所でゴルフバッグを運ぶ際には、使用者がゴルフバッグを自ら担いで運ばなければならなく大変であった。また、電車などの公共交通機関でゴルフ場に行く場合、ゴルフバックをずっと肩にかつがなければならず大変であり、このような交通機関を利用することが敬遠されがちであった。
【０００３】
これは、ゴルフに用いるゴルフクラブは鉄等でできていて重量が嵩み、ゴルフバッグ自体の重量もクッション材や金属の枠組み等で重くなりがちであり、ゴルフバッグ全体の重量はかなり重いものになってしまい、ゴルフバッグを担ぐ際の身体的負担が大きくなっていることに起因している。
【０００４】
また、移動距離が長い場所で重くて大きなバックを担いで移動することは肉体的にも負担になるし、足元が見え難くなり転び易くなって危険であった。特に近年では年配のゴルファーや女性のゴルファーが増加する傾向にあるので、上述したような負担からゴルファーを解放するような必要があった。
【０００５】
その解決策として、様々な形状のゴルフバッグ搬送用の台車や、車輪付きのゴルフバッグが知られている（例えば、特許文献１参照）。
【０００６】
特許文献１に記載のゴルフバッグ用運搬具は、ゴルフバッグと一体型又はクランプねじやカムを用いることによって取り外し可能に形成された基台を有するゴルフバッグ用運搬具である。
【先行技術文献】
【特許文献】
【０００７】
【特許文献１】特開平１０−０４３３３５号公報（００１０）〜（００３４）、図１〜図１０
【発明の概要】
【発明が解決しようとする課題】
【０００８】
特許文献１に記載のゴルフバッグ用運搬具は、ゴルフバッグを取り外し可能に形成された基台を有するゴルフバッグ用搬送具であるが、クランプねじやカムによる締結作業に伴う細かい手作業を必要とする構造を有しているため、取り付けや取り外しの際に屈み込まなければならない。そのため、取り付けや取り外しが面倒であり、また駐車場など車の出入りするような場所で夜間に屈み込んだりすると乗用車の死角に入ってしまい、危険である。
【０００９】
更に、何の工夫もされていないゴルフバッグを、無理やりカムやクランプねじなどで締め付け、押さえ込むことで固定しているため、このようなことを繰り返し行うと、ゴルフバッグの締め付けた部分が擦れて傷んでしまい、ゴルフバッグの損傷を招きかねない。
【００１０】
以上のような課題から、ゴルフバッグと台車との両方に着脱用の機構を取り付けることで、立った状態のままの姿勢で余計な手間をかけず簡単に取り付け及び取り外しのできる構成を有するゴルフバッグと台車が求められている。
【００１１】
本願発明の目的は、簡単にゴルフバッグを着脱することができ、かつコンパクトで収納性に優れた簡単な構成のゴルフバッグ搬送用台車を提供することである。
【課題を解決するための手段】
【００１２】
上述した課題を解決するために、本発明の請求項１に係るゴルフバッグ搬送用台車は、
ゴルフバッグを載置したまま移動させるゴルフバッグ搬送用台車において、
前記台車下面の少なくとも異なる３箇所に取り付けられた自在キャスタと、
前記台車上面にゴルフバッグの底部を保持して前記台車上面上をゴルフバッグがずれないようにするゴルフバッグ底部ずれ防止部を備え、
前記台車上面側から見て前記ゴルフバッグ底部ずれ防止部には当該ゴルフバッグ底部を支持する支持面と当該支持面以外の部分に形成された開口部が設けられ、
前記開口部を介して前記ゴルフバッグ底部を磁力により前記ゴルフバッグ底部を支持する支持面に押し付ける押し付け力を作用させたり、当該押し付け力の作用を解除させたりする保持力付与解除手段が備わり、
前記保持力付与解除手段は、前記台車のゴルフバッグ底部を支持する支持面と平行な方向にスライドすると共に、端部が前記台車の側方から突出した突出部をなすスライド部材と、前記スライド部材の一部に設けられた磁石であって当該スライド部材の操作により前記開口部における第１の位置と第２の位置間を移動するようになった磁石を備え、
前記スライド部材の操作により、前記磁石が前記第１の位置にある場合は、当該磁石が前記ゴルフバッグ底部ずれ防止部に保持されるゴルフバッグの底部に備わった金属製着磁部に最も接近し、これによって前記開口部を介して前記ゴルフバッグ底部を前記磁石の磁力により前記ゴルフバッグ底部を支持する支持面に押し付ける押し付け力を作用させ、
前記磁石が前記第２の位置にある場合は、当該磁石が前記ゴルフバッグ底部ずれ防止部に保持されるゴルフバッグの底部に備わった金属製着磁部から最も離間し、これによって前記ゴルフバッグ底部を前記磁石の磁力により前記ゴルフバッグ底部を支持する支持面に押し付ける押し付け力の作用を解除させることを特徴としている。
【００１３】
請求項１に係るゴルフバッグ搬送用台車によると、スライド部材の一方の端部を例えば立ったまま足で台車に押し込む操作だけで、磁石を第１の位置に移動させることができ、磁石がゴルフバッグ底部ずれ防止部に保持されるゴルフバッグの底部に備わった金属製着磁部に最も接近させる。これによって開口部よりも台車下面側にゴルフバッグ底部を磁力によりゴルフバッグ底部を支持する支持面に押し付ける押し付け力を作用させ、ゴルフバッグを台車にしっかりと固定する。
【００１４】
そのため、台車を地面に置いて、ゴルフバッグを担いだままの姿勢で屈むことなく単に台車に載せるだけで、ゴルフバッグを立てたままの状態で台車に簡単に固定できる。
【００１５】
また、ゴルフバッグを台車に固定することで、段差や突起物があるような場所や階段等でゴルフバッグを持ち上げて運ぶ際に、台車とゴルフバッグを一緒に持ち上げることができる。その結果、台車をわざわざゴルフバッグと別に持ち上げて運び、その後にゴルフバッグを台車に載せ直すような手間を必要とせず、ゴルフバッグを台車ごと楽に運ぶことが可能となる。
【００１６】
また、スライド部材の他方の端部を例えば立ったまま足で台車に押し込む操作だけで、磁石を第２の位置に移動させることができ、磁石がゴルフバッグ底部ずれ防止部に保持されるゴルフバッグの底部に備わった金属製着磁部から最も離間させる。これによってゴルフバッグ底部を磁力によりゴルフバッグ底部を支持する支持面に押し付ける押し付け力の作用を解除させ、ゴルフバッグの磁石による台車との拘束を解除することで、従来のように屈んだ姿勢によって台車のゴルフバッグ底部への拘束部を手で解除するような余計な手間をかけずに、ゴルフバッグの上部を手で押さえながら立ったままの姿勢で台車をゴルフバッグから簡単に外すことができる。
【００１７】
また、台車それ自体が単純な構成を有することと、ゴルフバッグを台車から簡単に着脱できる点とから、ゴルフバッグとは別に台車を例えばトランクルームの片隅等、収納し易い場所に台車を必要に応じて随時簡単に収納することが可能となる。
【００１８】
また、本発明に係るゴルフバック搬送用台車を用いることで、電車などの公共交通機関を利用する場合であっても、ゴルフバックをずっと肩にかつぐ必要がなく、身体的負担が非常に軽くなる。その結果、ゴルフ場への行き帰りに電車を利用する意識をゴルファーに高めさせることができ、行き帰りに車を利用する場合に生じる無駄なエネルギー消費を抑えて、環境にも優しくすることができる。
【００１９】
また、本発明の請求項２に係るゴルフバッグ搬送用台車は、
ゴルフバッグを載置したまま移動させるゴルフバッグ搬送用台車において、
前記台車下面の少なくとも異なる３箇所に取り付けられた自在キャスタと、
前記台車上面にゴルフバッグの底部を保持して前記台車上面上をゴルフバッグがずれないようにするゴルフバッグ底部ずれ防止部を備え、
前記台車上面側から見て前記ゴルフバッグ底部ずれ防止部には当該ゴルフバッグ底部を支持する支持面と当該支持面以外の部分に形成された開口部が設けられ、
前記開口部を介して前記ゴルフバッグ底部を磁力により前記ゴルフバッグ底部を支持する支持面に押し付ける押し付け力を作用させたり、当該押し付け力の作用を解除させたりする保持力付与解除手段が備わり、
前記保持力解除手段は、前記磁力を生じさせる磁石と、前記磁石を所定位置に有した細長の磁石移動部材を備え、前記磁石移動部材は前記台車の一部に回動支点として軸支され、前記磁石移動部材の少なくとも一方の端部は前記台車の側縁から側方に延在すると共に、前記回動支点を中心として前記少なくとも一方の端部を所定の範囲で移動させることが可能となっており、前記磁石は、前記磁石移動部材の前記回動支点と前記一方の端部の間及び前記回動支点と他方の端部の間の少なくとも一方に備わり、前記磁石移動部材の少なくとも一方の端部を所定の範囲で移動させることで、前記磁石を第１の位置と第２の位置間で移動させるようになっており、
前記磁石移動部材を介して前記磁石を第１の位置まで移動させると、当該磁石が前記ゴルフバッグ底部ずれ防止部に保持されるゴルフバッグの底部に備わった金属製着磁部に最も接近し、これによって前記開口部を介して前記ゴルフバッグ底部を前記磁石の磁力により前記ゴルフバッグ底部を支持する支持面に押し付ける押し付け力を作用させ、かつ
前記磁石移動部材を介して前記磁石を第２の位置まで移動させると、当該磁石が前記ゴルフバッグ底部ずれ防止部に保持されるゴルフバッグの底部に備わった金属製着磁部から最も離間し、これによって前記ゴルフバッグ底部を前記磁石の磁力により前記ゴルフバッグ底部を支持する支持面に押し付ける押し付け力の作用を解除させることを特徴としている。
【００２０】
請求項２に係るゴルフバッグ搬送用台車のような構成によっても、請求項１と同等の作用を発揮できる。即ち、磁石移動部材の端部を例えば立ったまま足先で操作するだけで、磁石を第１の位置に移動させることができ、磁石がゴルフバッグ底部ずれ防止部に保持されるゴルフバッグの底部に備わった金属製着磁部に最も接近させる。これによって開口部よりも台車下面側にゴルフバッグ底部を磁力によりゴルフバッグ底部を支持する支持面に押し付ける押し付け力を作用させ、ゴルフバッグを台車にしっかりと固定する。
【００２１】
そのため、台車を地面に置いて、ゴルフバッグを担いだままの姿勢で屈むことなく単に台車に載せるだけで、ゴルフバッグを立てたままの状態で台車に簡単に固定することができる。
【００２２】
また、ゴルフバッグを台車に固定することで、段差や突起物があるような場所や階段等でゴルフバッグを持ち上げて運ぶ際に、台車とゴルフバッグを一緒に持ち上げることができる。その結果、台車をわざわざゴルフバッグと別に持ち上げて運び、その後にゴルフバッグを台車に載せ直すような手間を必要とせず、ゴルフバッグを台車ごと楽に運ぶことが可能となる。
【００２３】
また、磁石移動部材の他方の端部を例えば立ったまま足先で操作するだけで、磁石を第２の位置に移動させることができ、磁石がゴルフバッグ底部ずれ防止部に保持されるゴルフバッグの底部に備わった金属製着磁部から最も離間させる。これによって、ゴルフバッグ底部を磁力によりゴルフバッグ底部を支持する支持面に押し付ける押し付け力の作用を解除させ、ゴルフバッグの磁石による台車との拘束を解除することで、従来のような屈んだ姿勢によって台車のゴルフバッグ底部の拘束部を手で解除するような余計な手間をかけずに、ゴルフバッグの上部を手で押さえながら立ったままの姿勢で台車をゴルフバッグから簡単に外すことができる。
【００２４】
また、台車それ自体が単純な構成を有することと、ゴルフバッグを台車から簡単に着脱できる点とから、ゴルフバッグとは別に台車を例えばトランクルームの片隅等、収納し易い場所に台車を必要に応じて随時簡単に収納することが可能となる。
【００２５】
また、本発明の請求項３に係るゴルフバッグ搬送用台車は、請求項１又は請求項２に記載のゴルフバッグ搬送用台車において、
前記ゴルフバッグ搬送用台車を水平面に置いた状態において、ゴルフバッグ底部を支持する支持面にゴルフバッグ底部を支持させた状態で当該ゴルフバッグが鉛直方向に対して所定の角度だけ斜めになったまま前記ゴルフバッグ搬送用台車に載置されるようにゴルフバッグ底部ずれ防止部が前記ゴルフバッグ搬送用台車に備わっていることを特徴としている。
【００２６】
請求項３に係るゴルフバッグ搬送用台車によると、ゴルフバッグを台車に乗せて磁石の磁力でゴルフバッグ底部を台車にしっかりと固定させた状態でゴルフバッグを搬送する際、台車の車輪が何かにぶつかってゴルフバッグ搬送用台車が急に止まっても、ゴルフバッグ自体が前のめりになったり倒れたりしにくく、ゴルフバッグやその中身のゴルフクラブを不必要に痛めたりせずに済む。
【発明の効果】
【００２９】
本発明よると、簡単にゴルフバッグを着脱することができ、かつコンパクトで収納性に優れた簡単な構成のゴルフバッグ搬送用台車を提供することができる。
【図面の簡単な説明】
【００３０】
【図１】本発明の第１の実施形態に係るゴルフバッグ搬送用台車の概略平面図である。
【図２】図１に示したゴルフバッグ搬送用台車にゴルフバッグを載せてこれを台車でしっかりと保持した状態を示す概略側方断面図である。
【図３】図１に示したゴルフバッグ搬送用台車に載せたゴルフバッグを台車から取り外す際の状態を示す概略側方断面図である。
【図４】本発明の第１の実施形態の変形例に係るゴルフバッグ搬送用台車の概略平面図である。
【図５】図４に示したゴルフバッグ搬送用台車にゴルフバッグを載せてこれを台車でしっかりと保持した状態を示す概略側方断面図である。
【図６】本発明の第２の実施形態に係るゴルフバッグ搬送用台車の概略平面図である。
【図７】図６に示したゴルフバッグ搬送用台車にゴルフバッグを載せてこれを台車でしっかりと保持した状態を示す概略側方断面図である。
【図８】図６に示したゴルフバッグ搬送用台車に載せたゴルフバッグを台車から取り外す際の状態を示す概略側方断面図である。
【図９】本発明の第２の実施形態の変形例に係るゴルフバッグ搬送用台車の概略平面図である。
【図１０】本発明の第３の実施形態に係るゴルフバッグ搬送用台車の概略平面図である。
【図１１】図１０に示したゴルフバッグ搬送用台車にゴルフバッグを載せてこれを台車でしっかりと保持した状態を示す概略側方断面図である。
【図１２】図１０に示したゴルフバッグ搬送用台車に載せたゴルフバッグを台車から取り外す際の状態を示す概略側方断面図である。
【図１３】本発明の第３の実施形態の変形例に係るゴルフバッグ搬送用台車の概略平面図である。
【図１４】本発明の第４の実施形態に係るゴルフバッグ搬送用台車の概略平面図であって磁石が第１の位置にある状態を示す概略平面図である。
【図１５】図１４に対応する図であり、磁石が第２の位置にある状態を示す概略平面図である。
【発明を実施するための形態】
【００３１】
以下、本発明の第１の実施形態に係るゴルフバッグ搬送用台車について図面に基づいて説明する。図１は、本発明の第１の実施形態に係るゴルフバッグ搬送用台車の概略平面図である。また、図２は、図１に示したゴルフバッグ搬送用台車にゴルフバッグを載せてこれを台車でしっかりと保持した状態を示す概略側方断面図である。また、図３は、図１に示したゴルフバッグ搬送用台車に載せたゴルフバッグを台車から取り外す際の状態を示す概略側方断面図である。
【００３２】
なお、以下の各実施形態及びその変形例に係るゴルフバッグ搬送用台車の材質については、強度と成型性に優れた樹脂材であるのが好ましいが、このような材質に限定されず金属や木材等であっても良い。
【００３３】
本発明の第１の実施形態に係るゴルフバッグ搬送用台車１００（以下、適宜「台車１００」とする）は、ゴルフバッグ１０を載置したまま移動させるゴルフバッグ搬送用台車である。そして、台車１００は平面視で矩形をなし、ある程度の厚みを有し下面の開口した箱体形状を備えている。
【００３４】
また、台車下側の４隅には、それぞれ１箇所ずつ合計４箇所に自在キャスタ１９０（１９１，１９２，１９３，１９４）が取り付けられている。
【００３５】
また、台車上面には、ゴルフバッグ１０の底部１１を保持して台車上面上をゴルフバッグ１０がずれないようにするゴルフバッグ底部ずれ防止部１１０を備えている。
【００３６】
また、ゴルフバッグ搬送用台車１００は、開口部を介してゴルフバッグ底部を磁力によりゴルフバッグ底部ずれ防止部１１０の支持面１２０に押し付ける押し付け力を作用させたり、この押し付け力の作用を解除させたりする保持力付与解除手段１５０を備えている。
【００３７】
ゴルフバッグ底部ずれ防止部１１０は、台車上面に形成され底面１１１がゴルフバッグ１０の底部１１を支持する支持面となった凹み部１１０からなる。以下、用語「ゴルフバッグ底部ずれ防止部１１０」と「凹み部１１０」を適宜使い分ける。なお、凹み部１１０の内径は、ゴルフバッグ底部１１の外径よりも若干大きく、ゴルフバッグ底部１１を凹み部内に収容し易い内径で、かつ凹み部１１０の深さはゴルフバッグ底部１１を凹み部内に収容した後、ゴルフバッグ１０が台車１００から容易にずれない深さとなっている。
【００３８】
また、台車上面側から見てゴルフバッグ底部ずれ防止部をなす凹み部１１０の底面１１１にはゴルフバッグ底部を支持する支持面１２０と支持面以外の部分に形成された開口部１３０が設けられている。
【００３９】
なお、ずれ防止部の形態については、平らな台車上面上にゴルフバック底部を保持できる大きさの円筒状の突部を設けても良いし、台車上面にゴルフバッグ底部が嵌る凹み部と上述した突部とを組み合わせたものを設けても良い。
【００４０】
開口部１３０は、図１に示すように、長円形状（陸上競技のトラック形状）を有している。そして、開口部１３０の長手方向は、保持力付与解除手段１５０のスライド部材１６０の延在方向と合致しており、スライド部材１６０に備わった磁石上部１７１が開口部１３０から上側に突出可能となっている。
【００４１】
また、長円形状をなす開口部１３０の長手方向一端１３１は、平面視で円形をなす凹み部１１０の底面１１１の略中央部に形成されている。そして、スライド部材１６０が、図１及び図２に示すスライド部材１６０に備わった磁石１７０が第１の位置、即ちゴルフバッグ固定状態の位置において、この磁石上部１７１が開口部１３０を介して凹み部１１０の中央部分から若干上側に突き出すようになっている。
【００４２】
また、長円形状をなす開口部１３０の長手方向他端は、スライド部材１６０を図１及び図２に示す位置から図３に示す位置にずらして磁石１７０も図３に示す第２の位置、即ちゴルフバッグ固定解除状態の位置にしたときに、磁石上部１７１が開口部１３０を介して凹み部１１０の中央より若干偏倚した部分から上側に突き出すようになっている。
【００４３】
台車下側には、ゴルフバッグ底部１１を磁力によりゴルフバッグ底部ずれ防止部１１０の支持面１２０に押し付ける押し付け力を作用させたり、押し付け力の作用を解除させたりする保持力付与解除手段１５０が備わっている。
【００４４】
保持力付与解除手段１５０は、細長の板状体のスライド部材１６０及びこれに備わった磁石１７０からなり、本実施形態では台車１００の進行方向対向する側面にスライド部材貫通孔１０５，１０６（図２及び図３参照）を備え、ここでは詳細には図示しないローラ等をスライド部材貫通孔１０５，１０６の近傍に設けてスライド部材１６０を台車１００に対してスライドできるようにしている。
【００４５】
スライド部材１６０は、凹み部１１０の底面１１１と平行な方向にスライドすると共に、一方の端部を台車側面に突き当てると、他方の端部が台車１００の側方から突出するようになっている。また、保持力付与解除手段１５０は、スライド部材１６０の一部に設けられた磁石１７０であってスライド部材１６０の操作により開口部１３０における第１の位置と第２の位置間を移動するようになった磁石１７０を備えている。
【００４６】
以上のように、スライド部材１６０の全長は、スライド部材１６０の長手方向における台車１００の幅よりも一定の長さだけ長くなっている。そして、スライド部材１６０の両端には、スライド部材貫通孔１０５，１０６の大きさよりも大きい板材であって、スライド部材１６０の移動を制限するストッパ１６１，１６２が備わっている。ここで、図１及び図２に示す右側のストッパ１６２が、台車側面に突き当たっており、左側のストッパ１６１は、台車側面から一定量突き出し、スライド部材１６０に備わった磁石の上面が凹み部１１０の中央部において開口部１３０より突き出した状態で位置するように取り付けられている。なお、図１及び図２に示す磁石１７０の位置が上述した、「第１の位置」である。また、図３に示す左側のストッパ１６１が、台車側面に突き当たっており、右側のストッパ１６２は、台車側面から一定量突き出し、スライド部材１６０に備わった磁石１７０の磁石上部１７１が凹み部１１０の中央部より一定距離離れた位置で開口部１３０より突き出すように取り付けられている。なお、この磁石１７０の位置が上述した、「第２の位置」である。なお、以下の実施形態及びその変形例においても、「第１の位置」と「第２の位置」を同様の意味合いで用いるものとする。
【００４７】
本実施形態に係るゴルフバッグ搬送用台車１００に載せるゴルフバッグ１０の底部１１には、スライド部材１６０に備わった磁石１７０の着磁力を十分受けることができる金属製の円板が金属製着磁部１２として備わっている。なお、この金属製着磁部１２は、例えば接着剤を介してゴルフバッグ１０の底部１１に後付け可能となっている。
【００４８】
一方、スライド部材１６０の操作により、磁石１７０を第１の位置と第２の位置との間で自由に移動させるようになっている。これによって、磁石１７０が第１の位置にある場合は、図２に示すように、磁石１７０がゴルフバッグ底部ずれ防止部１１０に保持されるゴルフバッグ１０の底部１１に備わった金属製着磁部１２に最も接近する。これによって、開口部１３０よりも台車下面側にゴルフバッグ底部１１を磁力によりゴルフバッグ底部ずれ防止部１１０の支持面１２０に押し付ける押し付け力を作用させる。
【００４９】
一方、磁石１７０が第２の位置にある場合は、図３に示すように、磁石１７０がゴルフバッグ底部ずれ防止部１１０に保持されるゴルフバッグ１０の底部１１に備わった金属製着磁部１２から最も離間する。これによって、ゴルフバッグ底部１１を磁石１７０の磁力によりゴルフバッグ底部ずれ防止部１１０の支持面１２０に押し付ける押し付け力の作用を解除させる。
【００５０】
続いて、上述した第１の実施形態に係るゴルフバッグ搬送用台車１００の使用方法（作用）について説明する。最初に使用者がゴルフバッグ１０の底部１１を台車１００の凹み部１１０に嵌め込む。そして、使用者が立ったまま台車１００の凹み部１１０に底部１１を嵌め込んだゴルフバッグ１０の上部を手で押さえ、台車側面から突き出したスライド部材１６０の一部をそのストッパ１６２が台車側面に当接するまで足で押し込むことにより、磁石１７０を図１及び図２に示す第１の位置に移動させる。その結果、磁石１７０がゴルフバッグ底部ずれ防止部１１０に保持されるゴルフバッグ１０の底部１１に備わった金属製着磁部１２に最も接近する。これによって、開口部１３０よりも台車下面側にゴルフバッグ底部１１を磁石１７０の磁力によりゴルフバッグ底部ずれ防止部１１０の支持面１２０に押し付ける押し付け力を作用させ、ゴルフバッグ１０を台車１００にしっかりと固定する。このようにして、台車１００を地面に置いて、屈むことなく立ったままの姿勢でゴルフバッグ底部１１を単に台車１００に載せるだけで、ゴルフバッグ１０を立てたままの状態で台車１００に簡単に固定することができる。
【００５１】
また、ゴルフバッグ１０を台車１００に固定することで、段差や突起物があるような場所や階段等でゴルフバッグ１０を持ち上げて運ぶ際に、磁石１７０の磁力により、ゴルフバッグ１０が台車１００にしっかりと固定されているので、台車１００とゴルフバッグ１０を一緒に持ち上げることができる。その結果、台車１００をわざわざゴルフバッグ１０とは別に持ち上げて運び、その後にゴルフバッグ１０を台車１００に載せ直すような手間を必要とせず、ゴルフバッグ１０を台車１００ごと楽に運ぶことが可能となる。
【００５２】
続いて、使用者がゴルフバッグ１０を台車１００から外す手順について説明する。ゴルフバッグ１０を台車１００から外すにあたって、使用者が屈むことなくスライド部材１６０の台車１００から突出した部分を、ストッパ１６１が台車側面に突き当たるまで台車側に足先で押し込むことで、磁石１７０を第２の位置に移動させることができる（図３における矢印Ａ参照）。これによって、ゴルフバッグ底部ずれ防止部１１０に保持されるゴルフバッグ１０の底部１１に備わった金属製着磁部１２から磁石１７０が最も離間する。その結果、ゴルフバッグ底部１１を磁石１７０の磁力によりゴルフバッグ底部ずれ防止部１１０の支持面１２０に押し付ける押し付け力の作用を解除させる。即ち、ゴルフバッグ１０の磁石１７０による台車１００との拘束を解除することで、余計な手間をかけることなく台車１００をゴルフバッグ１０から簡単に外すことができる（図３における矢印Ｂ参照）。即ち、使用者が立ったままの姿勢でゴルフバッグ１０を台車１００から簡単に取り外すことができる。
【００５３】
また、台車１００それ自体が単純な構成を有することと、ゴルフバッグ１０を台車１００から簡単に着脱できることから、ゴルフバッグ１０とは別に例えばトランクルームの片隅等、収納し易い場所に台車１００を必要に応じて随時簡単に収納することが可能となる。
【００５４】
続いて、上述した第１の実施形態の変形例に係るゴルフバッグ搬送用台車について図面に基づいて説明する。なお、上述の第１の実施形態と同等の構成については、対応する符号を付して詳細な説明を省略する。
【００５５】
図４は、本発明の第１の実施形態の変形例に係るゴルフバッグ搬送用台車の概略平面図である。また、図５は、図４に示したゴルフバッグ搬送用台車にゴルフバッグを載せてこれを台車でしっかりと保持した状態を示す概略側方断面図である。
【００５６】
第１の実施形態の変形例に係るゴルフバッグ搬送用台車１０１は、凹み部１１０の内径がゴルフバッグ１０の底部１１よりもある程度大きく、この間の隙間を例えばＰＰ（ポリプロピレン）でできたリング状スペーサ１１５を介在させるようになっている。
【００５７】
このような第１の実施形態の変形例に係るゴルフバッグ搬送用台車１０１の構成によっても、上述した第１の実施形態に係るゴルフバッグ搬送用台車１００と同等の作用を発揮することができる。
【００５８】
また、リング状スペーサ１１５の外径を一定とし、内径を様々なタイプのゴルフバッグ１０の底部１１に合わせた様々な内径とすることで、様々なサイズのゴルフバッグ１０を保持できるようになり、汎用性を高めることが可能となる。
【００５９】
続いて、本発明の第２の実施形態に係るゴルフバッグ搬送用台車について図面に基づいて説明する。なお、上述の第１の実施形態及びその変形例と同等の構成については、対応する符号を付して詳細な説明を省略する。
【００６０】
図６は、本発明の第２の実施形態に係るゴルフバッグ搬送用台車の概略平面図である。また、図７は、図６に示したゴルフバッグ搬送用台車にゴルフバッグを載せてこれを台車でしっかりと保持した状態を示す概略側方断面図である。また、図８は図６に示したゴルフバッグ搬送用台車に載せたゴルフバッグを台車から取り外す際の状態を示す概略側方断面図である。
【００６１】
第２の実施形態に係るゴルフバッグ搬送用台車２００は、第１の実施形態と異なり、ゴルフバッグ底部ずれ防止部２１０が特別な形状を有している。具体的には、ゴルフバッグ底部ずれ防止部２１０は、ゴルフバッグ搬送用台車２００を水平面に置いた状態において、支持面２２０にゴルフバッグ底部１１を支持させた状態でゴルフバッグ１０が鉛直方向に対して所定の角度だけ斜めになったまま台車２００に載置されるようにゴルフバッグ搬送用台車２００に備わっている。
【００６２】
この特別な形状についてより詳細に説明する。本実施形態においては、台車上面に形成されたゴルフバッグ底部ずれ防止部としての役目を果たす凹み部２１０が第１の実施形態と同様に備わっているが、この凹み部２１０の底面２１１がスライド部材２６０の延在方向に沿って全体的に斜めに形成されている。ゴルフバッグ搬送用台車２００を水平面に置いた時、この角度は、磁石２７０が第１の位置にある場合のこの周辺部分の底面２１１の高さよりも磁石２７０が第２の位置にある場合のこの周辺部分の底面２１１の高さの方が一定の高さだけ高くなる方向に底面全体が傾斜している（図７及び図８比較参照）。
【００６３】
また、凹み部２１０の内周壁は、底面２１１から開口部２１２にかけて僅かに内径が広がるようにテーパ状をなしている。また、台車２００のスライド部材貫通孔２０５，２０６は、凹み部２１０の底面２１１と平行してスライド部材２６０がスライドするように形成されている。具体的には台車２００の左側のスライド部材貫通孔２０５は、図７に示すように、台車左側の自在キャスタ２９１，２９２に近づいた位置に形成されて、台車右側のスライド部材貫通孔２０６は、台車右側の自在キャスタ２９３，２９４から遠ざかった位置に形成されている。その他の構成要素については、上述した第１実施形態と同様である。
【００６４】
続いて、上述した第２の実施形態に係るゴルフバッグ搬送用台車２００の作用について説明する。この第２の実施形態に係るゴルフバッグ搬送用台車２００によると、上述した第１の実施形態の作用に加えて、ゴルフバッグ１０を台車２００に乗せて磁石２７０の磁力でゴルフバッグ底部１１を台車２００にしっかりと固定させた状態でゴルフバッグ１０を図７中右方向に搬送する際、台車２００の車輪が不意に何かにぶつかってゴルフバッグ搬送用台車２００が急に止まっても、ゴルフバッグ自体が前のめりになったり倒れたりし難く、ゴルフバッグ１０やその中身のゴルフクラブを不必要に痛めたりせずに済む。
【００６５】
続いて、上述した第２の実施形態の変形例に係るゴルフバッグ搬送用台車について図面に基づいて説明する。なお、上述の第２の実施形態と同等の構成については、対応する符号を付して詳細な説明を省略する。
【００６６】
図９は、本発明の第２の実施形態の変形例に係るゴルフバッグ搬送用台車の概略平面図である。第２の実施形態の変形例に係るゴルフバッグ搬送用台車２０１は、第２の実施形態に係るゴルフバッグ搬送用台車２００に対してスライド部材２６５の延在方向が異なっている。具体的には、凹み部２１０の底面２１１の傾斜方向と垂直方向にスライド部材２６５が延在している。
【００６７】
これによって、凹み部２１０の底面２１１の傾斜方向にスライド部材２６５を延在させる必要がなくなる。即ち、スライド部材２６５に備わった磁石２７０が第１の位置となるようにスライド部材２６５を図９に示すようにずらしても、スライド部材２６５に備わった磁石２７０が第２の位置となるようにスライド部材２６５をずらしても、スライド部材自体の台車２０１から突出した部分の地面からの高さは変わらない。即ち、スライド部材２６５を磁石２７０が第１の位置になるように操作した結果、スライド部材２６５の一端が地面に近づくように突出しゴルフバッグ搬送中にこのスライド部材２６５の一端が台車２０１の走行を阻害するようなことが無くなる。
【００６８】
このような第２の実施形態の変形例に係るゴルフバッグ搬送用台車２０１の構成によっても、上述した第２の実施形態に係るゴルフバッグ搬送用台車２００と同等の作用を発揮することができる。また、これに加えてスライド部材２６５の台車２０１から突出した部分の高さを地面から一定に保つことができるので、ゴルフバッグ搬送中にスライド部材２６５が地面に引っかかったりする心配がない。
【００６９】
続いて、本発明の第３の実施形態に係るゴルフバッグ搬送用台車について図面に基づいて説明する。なお、上述の第１及び第２の実施形態及びそれらの変形例と同等の構成については、対応する符号を付して詳細な説明を省略する。
【００７０】
図１０は、本発明の第３の実施形態に係るゴルフバッグ搬送用台車の概略平面図である。また、図１１は、図１０に示したゴルフバッグ搬送用台車にゴルフバッグを載せてこれを台車でしっかりと保持した状態を示す概略側方断面図である。また、図１２は、図１０に示したゴルフバッグ搬送用台車に載せたゴルフバッグを台車から取り外す際の状態を示す概略側方断面図である。
【００７１】
この第３の実施形態に係るゴルフバッグ搬送用台車３００は、台車全体の平面視の形状及び自在キャスタ３９０の数が上述した第２の実施形態に係るゴルフバッグ搬送用台車２００と異なっている点に特徴がある。具体的には、凹み部３１０の中心部からスライド部材延在方向の右側であって、磁石３７０による保持力の作用を解除する方向に関する約半分が台車平面視でほぼ半円形状を有し、凹み部３１０の中心部からスライド部材延在方向の左側であって磁石３７０による保持力を作用させる方向に関する約半分が、台車平面視でほぼ矩形形状を有している。そして、スライド部材延在方向の右側であってスライド部材貫通孔３０５，３０６が形成された台車右側端部下側に自在キャスタ３９１が１つ備わり、スライド部材延在方向の左側であって矩形形状の台車の幅方向両端部近傍にそれぞれ自在キャスタ３９２，３９３が１つずつ備わっている。
【００７２】
即ち第３の実施形態に係るゴルフバッグ搬送用台車３００は、台車全体の大きさが上述した各実施形態に比べて小さくなっている。しかしながら、台車３００には３つの自在キャスタ３９１，３９２，３９３（３９０）が備わり、台車３００に載せたゴルフバッグ１０を３点支持で安定して移動させるようになっている。
【００７３】
このような第３の実施形態に係るゴルフバッグ搬送用台車３００の構成によっても、上述した第１及び第２の実施形態及びそれらの変形例に係るゴルフバッグ搬送用台車と同等の作用を発揮することができる。また、台車自体が小型であるので、車のトランクルームの片隅に収容し易い。
【００７４】
続いて、上述した第３の実施形態の変形例に係るゴルフバッグ搬送用台車について図面に基づいて説明する。なお、上述の第３の実施形態と同等の構成については、対応する符号を付して詳細な説明を省略する。
【００７５】
図１３は、本発明の第３の実施形態の変形例に係るゴルフバッグ搬送用台車の概略平面図である。第３の実施形態に係るゴルフバッグ搬送用台車３０１は、台車３０１が平面視で一方が半円状をなし他方が矩形状をなしている。
【００７６】
第３の実施形態の変形例に係るゴルフバッグ搬送用台車３０１は、第３の実施形態に係るゴルフバッグ搬送用台車３００とスライド部材３６０の延在方向が異なっている。具体的には、ゴルフバッグ底部固定用凹み部３１０の底面３１１の傾斜方向と垂直方向にスライド部材３６５が延在している。これによって、ゴルフバッグ底部固定用凹み部３１０の底面３１１の傾斜方向にスライド部材３６５を延在させる必要がなくなる。即ち、スライド部材３６５に備わった磁石３７０が第１の位置となるようにスライド部材３６５を図１３に示すようにずらしても、スライド部材３６５に備わった磁石３７０が第２の位置となるようにスライド部材３６５をずらしても、スライド部材自体の台車３０１から突出した部分の地面からの高さは変わらない。即ち、スライド部材３６５を磁石３７０が第１の位置になるように操作した結果、スライド部材３６５の一端が地面に近づくように突出しゴルフバッグ搬送中にこのスライド部材３６５の一端が台車３０１の走行を阻害するようなことが無くなる。
【００７７】
このような第３の実施形態の変形例に係るゴルフバッグ搬送用台車３０１の構成によっても、上述した第３の実施形態に係るゴルフバッグ搬送用台車３００と同等の作用を発揮することができる。また、これに加えてスライド部材３６０の台車３０１から突出した部分の高さを地面から一定に保つことができるので、スライド部材３６０が地面に引っかかったりする心配がない。
【００７８】
このような第３の実施形態の変形例に係るゴルフバッグ搬送用台車３０１の構成によっても、上述した第３の実施形態に係るゴルフバッグ搬送用台車３００と同等の作用を発揮することができる。
【００７９】
続いて、本発明の第４の実施形態に係るゴルフバッグ搬送用台車について図面に基づいて説明する。なお、上述の第１乃至第３の実施形態及びそれらの変形例と同等の構成については、対応する符号を付して詳細な説明を省略する。
【００８０】
図１４は、本発明の第４の実施形態に係るゴルフバッグ搬送用台車の概略平面図であって磁石が第１の位置にある状態を示す概略平面図である。また、図１５は、図１４に対応する図であり、磁石が第２の位置にある状態を示す概略平面図である。
【００８１】
第４の実施形態に係るゴルフバッグ搬送用台車４００は、第３の実施形態に係るゴルフバッグ搬送用台車３００において使用したスライド部材３６０の代わりに、磁石４７０を所定位置に備えた細長の磁石移動部材４６０を備えている。そして、磁石移動部材４６０の一方の端部４６１は台車４００の一方の側の側縁近傍に軸支され、磁石移動部材４６０の他方の端部４６２は台車４００の他方の側縁から側方に延在するようになっている。なお、台車４００の側面にはこの磁石移動部材４６０の他方の端部４６２を一定の範囲に亘って動かすことができるように、ここでは詳細には図示しない細長の磁石移動部材貫通孔４８０が形成されている。この細長の磁石移動部材貫通孔４８０は、一方の端部４８１が、図１４に示すように磁石移動部材４６０に備わった磁石４７０が第１の位置で止まるように形成されて一方のストッパの役目を果たし、他方の端部４８２が、図１５に示すように磁石移動部材４６０に備わった磁石４７０が第２の位置で止まるように形成されて他方のストッパの役目を果たしている。
【００８２】
そして、磁石移動部材４６０は、一方の端部４６１を中心として他方の端部を所定の範囲で移動させることが可能となっており、他方の端部を所定の範囲で移動させることで、磁石４７０を第１の位置と第２の位置間で移動させるようになっている。
【００８３】
そして、磁石移動部材４６０の他方の端部４６２を動かして、磁石４７０を図１４に示す第１の位置まで移動させると、磁石４７０がゴルフバッグ底部ずれ防止部４１０に保持されるゴルフバッグ１０の底部１１に備わった金属製着磁部１２に最も接近する。これによって、開口部４３０よりも台車下面側にゴルフバッグ底部１１を磁石４７０の磁力によりゴルフバッグ底部ずれ防止部４１０の支持面４２０に押し付ける押し付け力を作用させようになっている。
【００８４】
一方、磁石移動部材４６０の他方の端部４６２を動かして、磁石４７０を図１５に示す第２の位置まで移動させると、磁石４７０がゴルフバッグ底部ずれ防止部４１０に保持されるゴルフバッグ１０の底部１１に備わった金属製着磁部１２から最も離間する。これによって、ゴルフバッグ底部１１を磁石４７０の磁力によりゴルフバッグ底部ずれ防止部４１０の支持面４２０に押し付ける押し付け力の作用を解除させるようになっている。
【００８５】
このような第４の実施形態に係るゴルフバッグ搬送用台車４００の構成によっても、上述した第１乃至第３の実施形態及びそれらの変形例に係るゴルフバッグ搬送用台車と同等の作用を発揮することができる。
【００８６】
具体的には、第４の実施形態に係るゴルフバッグ搬送用台車４００によると、立ったまま磁石移動部材４６０を足先で操作することで、磁石４７０を第１の位置に移動させることで、磁石４７０がゴルフバッグ底部ずれ防止部４１０に保持されるゴルフバッグ１０の底部１１に備わった金属製着磁部１２に最も接近する。これによって開口部４３０よりも台車下面側にゴルフバッグ底部１１を磁石４７０の磁力によりゴルフバッグ底部ずれ防止部４１０の支持面４２０に押し付ける押し付け力を作用させ、ゴルフバッグ１０を台車４００にしっかりと固定する。そのため、台車４００を地面に置いて、ゴルフバッグ１０を担いだままの姿勢から屈むことなく単に台車４００に載せるだけで、ゴルフバッグ１０を立てたままの状態で台車に簡単に固定することができる。
【００８７】
更には、磁石移動部材４６０の回動支点から磁石４７０までの距離よりも回動支点から足先で操作する磁石移動部材４６０の端部までの距離の方が長いので、足先から磁石移動部材４６０の端部に小さい力を及ぼすだけで、てこの原理により磁石４７０をゴルフバック底部１１の金属製着磁部１２から簡単に離間させて磁石４７０を第２の位置まで移動させることができる。
【００８８】
また、ゴルフバッグ１０を台車４００に固定することで、段差や突起物があるような場所や階段等でゴルフバッグ１０を持ち上げて運ぶ際に、台車４００とゴルフバッグ１０を一緒に持ち上げることができる。その結果、台車４００をわざわざゴルフバッグ１０と別に持ち上げて運び、その後にゴルフバッグ１０を台車４００に載せ直すような手間を必要とせず、ゴルフバッグ１０を台車４００ごと楽に運ぶことが可能となる。
【００８９】
また、立ったまま磁石移動部材４６０を足先で操作することで、磁石４７０を第２の位置に移動させることで、磁石４７０がゴルフバッグ底部ずれ防止部４１０に保持されるゴルフバッグ１０の底部１１に備わった金属製着磁部１２から最も離間する。これによってゴルフバッグ底部１１を磁石４７０の磁力によりゴルフバッグ底部ずれ防止部４１０の支持面に押し付ける押し付け力の作用を解除させ、ゴルフバッグ１０の磁石４７０による台車４００との拘束を解除することで、余計な手間をかけることなく台車４００をゴルフバッグ１０から簡単に外すことができる。なお、この第４の実施形態に係るゴルフバッグ搬送用台車では、磁石４７０を第１の位置と第２の位置との間で移動させる場合に、台車の一方の側に立ったまま行なうことができる（図１４及び図１５では台車の下側）。そのため、磁石の位置を移動させるごとに台車の反対側に移動する必要がなく、使い勝手が良い。
【００９０】
また、台車それ自体が単純な構成を有することと、ゴルフバッグ１０を台車４００から簡単に着脱できる点とから、ゴルフバッグ１０とは別に台車４００を例えばトランクルームの片隅等、収納し易い場所に台車を必要に応じて随時簡単に収納することが可能となる。
【００９１】
なお、上述した実施形態と異なり、磁石移動部材の長手方向中央部分を回動支点とし、磁石移動部材の一端又は両端を台車側面から突出させ、磁石移動部材の各端部と回動支点との間にそれぞれ磁石を設けても良い。この場合、ゴルフバック底部の金属製着磁部もこの磁石に対応する位置に２つ設ける。そして、磁石移動部材の台車から突出した端部を足先で一方の方向に完全にずらすことで２つの磁石と２つの金属製着磁部が磁力でくっつく第１の位置とし、磁石移動部材の台車から突出した端部を足先で他方の方向に完全にずらすことで２つの磁石と２つの金属製着磁部の磁力による拘束を解除する第２の位置となるようにしても良い。この場合であっても、上述したてこの原理を利用して、足先の小さな力で磁石を第１の位置と第２の位置間で容易に移動させることができる。
【００９２】
また、上述の実施形態及びその各変形例においては、４つ又は３つの自在キャスタを有した台車を用いて説明したが、ゴルフバッグをゴルフバッグ搬送用台車に載せて搬送する際に、安定した状態を保てれば良く、５つ以上の自在キャスタを有する台車にも適用可能である。
【００９３】
また、上述した実施形態及びその変形例においては、例えば８インチのゴルフバッグに合致するようなゴルフバッグ搬送用台車としても良く、他のサイズのゴルフバッグに合わせたゴルフバッグ搬送用台車としても良い。また、他の実施形態及びそれらの変形例において、第１の実施形態の第１変形例を適用可能である。これによって、異なるインチのゴルフバッグをそれに合ったスペーサに変えることで様々なサイズのゴルフバッグを搬送可能である。
【００９４】
また、上述の実施形態及びその各変形例においては、ゴルフバッグ載置部に磁石を、対向するゴルフバッグ底部に着磁部をなし、この磁力による磁石と着磁部との結合を介してゴルフバッグを台車に固定する方法として解説した。しかし、これとは反対にゴルフバッグ搬送用台車に着磁部（図示せず）を備え、ゴルフバッグ底部に磁石（図示せず）を備えた構成としても同様の効果を奏することが可能である。
【００９５】
また、着磁部には、対向するゴルフバッグ載置部に取り付けられた磁石と反対の極、（即ち、Ｎ極の磁石に対してＳ極が対向するように配置される磁石による着磁部、又はその逆）をなす磁石を用いても良い。
【００９６】
また、ゴルフバッグ搬送用台車端部に取っ手を取り付けることも可能である。この場合、孔、突起部、又は溝の形態が考えられる。
【符号の説明】
【００９７】
１０    ゴルフバッグ
１１    （ゴルフバッグ）底部
１２    金属製着磁部
１００，１０１    （ゴルフバッグ搬送用）台車
１０５，１０６    スライド部材貫通孔
１１０    凹み部（ゴルフバッグ底部ずれ防止部）
１１１    底面
１１５    リング状スペーサ
１２０    支持面
１３０    開口部
１３１    長手方向一端
１５０    保持力付与解除手段
１６０    スライド部材
１６１，１６２    ストッパ
１７０    磁石
１７１    磁石上部
１９０（１９１，１９２，１９３，１９４）    自在キャスタ
２００，２０１    （ゴルフバッグ搬送用）台車
２０５，２０６    スライド部材貫通孔
２１０    凹み部（ゴルフバッグ底部ずれ防止部）
２１１    底面
２１２    開口部
２２０    支持面
２６０    スライド部材
２６５    スライド部材
２７０    磁石
２９１，２９２，２９３，２９４    自在キャスタ
３００，３０１    （ゴルフバッグ搬送用）台車
３０５，３０６    スライド部材貫通孔
３１０    （ゴルフバッグ底部固定用）凹み部
３１１    底面
３６０    スライド部材
３６５    スライド部材
３７０    磁石
３９０（３９１，３９２，３９３）    自在キャスタ
４００    （ゴルフバッグ搬送用）台車
４１０    ゴルフバッグ底部ずれ防止部
４２０    支持面
４３０    開口部
４６０    磁石移動部材
４６１    一方の端部
４６２    他方の端部
４７０    磁石
４８０    磁石移動部材貫通孔
４８１    一方の端部
４８２    他方の端部
【図１】
0005527892.tif 000002
【図２】
0005527892.tif 000003
【図３】
0005527892.tif 000004
【図４】
0005527892.tif 000005
【図５】
0005527892.tif 000006
【図６】
0005527892.tif 000007
【図７】
0005527892.tif 000008
【図８】
0005527892.tif 000009
【図９】
0005527892.tif 000010
【図１０】
0005527892.tif 000011
【図１１】
0005527892.tif 000012
【図１２】
0005527892.tif 000013
【図１３】
0005527892.tif 000014
【図１４】
0005527892.tif 000015
【図１５】
0005527892.tif 000016